(57)【要約】  【課題】  簡単な構造を有し、組み立てに多くの時間及び手間をかけることなく、フォーカシング、トラッキングの精度を高めることができる光ヘッド及びこの光ヘッドを用いた光ディスク装置を提供する。  【解決手段】  支持部材２１に形成された接着部２１２には、ワイヤーばね２２を接着するときに接着剤２２１を配置しておくための凹溝２１５が形成されている。凹溝２１５にワイヤーばね２２の一部が挿入された状態で配置し、接着剤２２１を接着点２１２１に注入することでワイヤーばね２２を接着部２１２に接着固定する。【選択図】      図７
2006134434.tif 000002
【特許請求の範囲】
【請求項１】
回転している円盤状の光ディスクにレーザ光を照射することで、データの記録、読出を
行う光ディスク装置であって、
前記光ディスクを回転させるスピンドルモータと、前記光ディスクに対してレーザ光を
照射する光ヘッドと、信号を処理するための信号処理装置と、前記光ヘッドにて検出され
前記信号処理装置にて復号化された信号を外部の映像表示部に接続するための外部接続部
と、制御部とを備えており、
前記光ヘッドは前記レーザ光を照射するレーザ光源と、前記レーザ光を反射するミラー
と、前記レーザ光を平行光にするコリメータレンズと、前記レーザ光を前記光ディスクに
照射するための対物レンズと、前記光ディスクで反射された光を分光するビームスプリッ
タと、光を受光する受光素子とを有しており、
前記コリメータレンズはベースに支持され、前記対物レンズはレンズホルダに固定され
、該レンズホルダがアクトベースに支持されており、前記アクトベースは前記ベースに固
定されており、
前記アクトベースは前記レンズホルダを支持するための支持部材と、前記支持部材に固
定されるとともに前記レンズホルダを弾性支持する直線状に形成された２対のワイヤーば
ねと、前記支持部材に取り付けられる基板と、前記レンズホルダ内部に磁界を発生させる
ための永久磁石とを有しており、
前記レンズホルダは、該レンズホルダを前記光ディスクのディスク面に対して垂直方向
に動かすためのフォーカシングコイルと、該ディスク面に平行な方向に移動するためのト
ラッキングコイルと、前記ワイヤーばねの位置決めをする位置決め部材と、前記フォーカ
シングコイル及び前記トラッキングコイルと電気的に接続し、前記ワイヤーばねがはんだ
付けされることで取り付けられるワイヤー取付部とを有しており、
前記支持部材は両側面に接着剤を注入するための溝部を有する接着部と、前記ワイヤー
ばねと接触し粘弾性を有するゲル状の制振部材とを有しており、
前記基板は前記支持部材の前記レンズホルダと対向する面と反対側の面に取り付けられ
るものであり、前記ワイヤーばねが貫通する貫通孔と、前記貫通孔の周りに形成され、は
んだ付けにて前記ワイヤーばねと電気的に接続するランドとを有しており、
前記ランドより前記ワイヤーばねを介し前記フォーカシングコイル及びトラッキングコ
イルにそれぞれ独立して電力を供給し、
前記ワイヤーばねが前記溝部に挿入され、該溝部の所定の位置に前記接着剤を注入する
ことで前記接着部に接着固定されることを特徴とする光ディスク装置。
【請求項２】
回転している円盤状の光ディスクにレーザ光を照射することで、データの記録、読出を
行う光ディスク装置であって、前記光ディスクに対してレーザ光を照射する光ヘッドを備
えており、
前記光ヘッドは前記レーザ光を照射するレーザ光源と、前記レーザ光を反射するミラー
と、前記レーザ光を平行光にするコリメータレンズと、前記レーザ光を前記光ディスクに
照射するための対物レンズと、前記光ディスクで反射した光を分光するビームスプリッタ
と、光を受光する受光素子とを有しており、
前記コリメータレンズはベースに支持され、前記対物レンズはレンズホルダに固定され
、該レンズホルダがアクトベースに支持されており、前記アクトベースは前記ベースに固
定されており、
前記アクトベースは前記レンズホルダを支持するための支持部材と、前記支持部材に固
定されるとともに前記レンズホルダを弾性支持する直線状に形成された１又は複数対のワ
イヤーばねと、前記支持部材に取り付けられる基板と、前記レンズホルダ内部に磁界を発
生させるための永久磁石とを有しており、
前記レンズホルダは、該レンズホルダを移動するための１又は複数のコイルと、前記ワ
イヤーばねの位置決めをする位置決め部材と、前記コイルと電気的に接続し、前記ワイヤ
ーばねがはんだ付けされることで取り付けられるワイヤー取付部とを有しており、
前記支持部材は両側面に接着剤を注入するための接着剤注入部を備えた接着部と、前記
ワイヤーばねの振動を抑制する粘弾性を有するゲル状の制振部材とを有しており、
前記基板は前記支持部材の前記レンズホルダと対向する面と反対側の面に取り付けられ
、電力を供給するためのランドを有し、
前記ランドより前記ワイヤーばねを介し前記コイルにそれぞれ独立して電力を供給し、
前記ワイヤーばねが前記接着剤注入部に近接して配置され該接着剤注入部に接着剤を注
入することで前記接着部と接着固定されることを特徴とする光ディスク装置。
【請求項３】
前記接着剤注入部は楕円形状を有する凹部であることを特徴とする請求項２に記載の光
ディスク装置。
【請求項４】
レーザ光を照射するレーザ光源と、ベースに支持されレーザ光を平行光にするコリメー
タレンズと、レンズホルダに固定され前記レーザ光を前記光ディスクに照射するための対
物レンズとを有しており、前記レンズホルダはアクトベースに支持されており、前記アク
トベースは前記ベースに固定されており、
前記アクトベースは前記レンズホルダを支持するための支持部材と、前記支持部材に固
定されるとともに前記レンズホルダを弾性支持する直線状に形成された２対のワイヤーば
ねと、前記支持部材に取り付けられる基板と、前記レンズホルダ内部に磁界を発生させる
ための永久磁石とを有しており、
前記レンズホルダは、該レンズホルダを前記光ディスクのディスク面に対して垂直方向
に動かすためのフォーカシングコイルと、平行する方向に移動するためのトラッキングコ
イルと、前記フォーカシングコイル及び前記トラッキングコイルと電気的に接続し、前記
ワイヤーばねがはんだ付けされることで取り付けられるワイヤー取付部とを有しており、
前記支持部材は両側面に接着剤を注入するための溝部を有する接着部と、前記ワイヤー
ばねと接触し粘弾性を有するゲル状の制振部材とを有し、
前記基板は前記支持部材の前記レンズホルダと対向する面と反対側の面に取り付けられ
るものであり前記ワイヤーばねが貫通する貫通孔と、前記貫通孔の周りに形成され、はん
だ付けにて前記ワイヤーばねと電気的に接続するランドとを有しており、
前記ランドより前記ワイヤーばねを介し前記フォーカシングコイル及びトラッキングコ
イルにそれぞれ独立して電力を供給し、
前記ワイヤーばねが前記溝部に挿入され、該溝部の所定の位置に前記接着剤を注入する
ことで前記接着部に接着固定されることを特徴とする光ヘッド。
【請求項５】
レーザ光を照射するレーザ光源と、ベースに支持されレーザ光を平行光にするコリメー
タレンズと、レンズホルダに固定され前記レーザ光を前記光ディスクに照射するための対
物レンズとを有しており、前記レンズホルダはアクトベースに支持されており、前記アク
トベースは前記ベースに固定されており、
前記アクトベースは前記レンズホルダを支持するための支持部材と、前記支持部材に固
定されるとともに前記レンズホルダを弾性支持する直線状に形成された１又は複数対のワ
イヤーばねと、前記支持部材に取り付けられる基板と、前記レンズホルダ内部に磁界を発
生させるための永久磁石とを有しており、
前記レンズホルダは、該レンズホルダを移動するための１又は複数のコイルと、前記ワ
イヤーばねの位置決めをする位置決め部材と、前記コイルと電気的に接続し、前記ワイヤ
ーばねがはんだ付けされることで取り付けられるワイヤー取付部とを有しており、
前記支持部材は両側面に接着剤を注入するための接着剤注入部を備えた接着部と、前記
ワイヤーばねの振動を抑制する粘弾性を有するゲル状の制振部材とを有しており、
前記基板は前記支持部材の前記レンズホルダと対向する面と反対側の面に取り付けられ
、電力を供給するためのランドを有し、
前記ランドより前記ワイヤーばねを介し前記コイルにそれぞれ独立して電力を供給し、
前記ワイヤーばねが前記接着剤注入部に近接して配置され該接着剤注入部に接着剤を注
入することで前記接着部と接着固定されることを特徴とする光ヘッド。
【請求項６】
前記接着剤注入部は楕円形状を有する凹部であることを特徴とする請求項５に記載の光
ヘッド。
【発明の詳細な説明】
【技術分野】
【０００１】
本発明は、光ディスクに光を照射することでデータの記録及び（又は）読出しを行うこ
とができる光ディスク装置に関するものであり、特に前記光ディスクに光を照射する光ヘ
ッドに関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は、光ディスクの記録面に対しレーザ光を照射し、反射してきた光を
検出する光ヘッドを備えている。
【０００３】
図２に光ヘッドの配置図を示す。図２に示すようにレーザ光源Ｌｄと、ミラーＭｒと、
コリメータレンズ３と、対物レンズ４と、ビームスプリッタＢｓと、受光素子Ｐｄとを有
している。レーザ光源Ｌｄより照射されたレーザ光はミラーＭｒで反射されてコリメータ
レンズ３に入射する。コリメータレンズ３に入射したレーザ光は平行光として出射され対
物レンズ４に入射する。対物レンズ４に入射したレーザ光はＤＶＤメディアＤｓの記録面
に照射される。
【０００４】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。
【０００５】
前記光ディスク装置では、対物レンズ等の光学素子が備えられている前記光ヘッドを、
光ディスク面の振れや傾きに追従させつつ、その垂直方向又は半径方向に移動させる必要
があり、前記対物レンズを保持するレンズホルダを複数本の金属弾性部材（ワイヤーばね
）にて支持するものが用いられている。前記レンズホルダは上下（フォーカス方向）、左
右（トラッキング方向）に駆動する。
【０００６】
図８に従来の光ヘッドの一例の側面図を示す。図８に示す光ヘッドＢはコリメータレン
ズ３が取り付けられたベース９１と、対物レンズ４を保持するレンズホルダ９５が配置さ
れるアクチュエータベース９２（以後アクトベース９２と示す）とを有している。アクト
ベース９４はベース９１に固定されている。アクトベース９２には貫通孔９２０が形成さ
れており、コリメータレンズ３を出射したレーザ光が貫通孔９２０を通過して対物レンズ
４に入射する。
【０００７】
レンズホルダ９５には、光ディスクに対して垂直方向に移動させるフォーカシング、光
ディスクの半径方向に移動させるトラッキングを行うためのコイル９５４、９５５が形成
されている。アクトベース９２のレンズホルダ９５を配置する部分には一対の永久磁石９
２４、９２４が配置されており、コイル９５４、９５５には一定の磁界が発生している。
この状態でコイル９５４、９５５に電流を流すことで、レンズホルダ９５を駆動して、フ
ォーカシング、トラッキング、チルトを行う。
【０００８】
レンズホルダ９５はアクトベース８２に設けられた支持部材９２１に、金属性のワイヤ
ーばね９２２を介して支持されている。ワイヤーばね９２２はレンズホルダ９５を支持す
るとともに、コイル９５４、９５５に電流を流す送電線としても利用されている。ワイヤ
ーばね９２２はレンズホルダ９５の両側面に２本ずつ配置されており、レンズホルダ９５
の側面にはんだ付けにて取り付けられてレンズホルダ９５を弾性支持している。
【０００９】
支持部材９２１の側面には粘弾性を有するゲル状の制振部材９２５が配置されており、
制振部材９２５はワイヤーばね９２２を覆っている。このことにより、ワイヤーばね９２
２は制振部材９２５によってダンピングを抑えられている。支持部材９２１にはレンズホ
ルダ９５と反対側の面にワイヤーばね９２２に送電するための基板９２３が取り付けられ
ている。基板９２３は支持部材９２１にボルト９２６にて固定されている。基板９２３に
はワイヤーばね９２２の端部が貫通する貫通孔９２７が形成されている。ワイヤーばね９
２２の貫通孔９２７を貫通した端部を基板９２３にはんだ付けすることで、ワイヤーばね
９２２と支持部材９２３とを接続固定することができる。
【００１０】
レンズホルダ９５のフォーカシング、トラッキングのための移動量は、ワイヤーばね９
２２の長さによって変わってくる。さらに詳しく説明すると、基板９２３からレンズホル
ダ９５までのワイヤーばね９２２の長さＬ２によってレンズホルダ９５の移動量が決定す
る。フォーカシング、トラッキングの精度を高めるためには、ワイヤーばね９２２の長さ
Ｌ２を同じ長さにすればよい。ここでワイヤーばね９２２の長さはレンズホルダ９５のは
んだ付け部から基板の貫通孔９２７のはんだ付け部までの長さＬ２である。
【特許文献１】特開２００４−１５２４８８号公報
【特許文献２】特開２０００−１２３３８５号公報
【特許文献３】特開平９−５４９７０号公報
【発明の開示】
【発明が解決しようとする課題】
【００１１】
しかしながら、ワイヤーばね９２２の長さＬ２は、支持部材９２１に取り付けられた基
板９２３の形状のずれ、取り付け位置のずれ、はんだの盛り方によって変化しやすく、複
数本設けられるワイヤーばね９２２の各長さを高精度で均一な長さになるように取り付け
るのは非常に困難である。各ワイヤーばね９２２は互いに平行でなくてはならず、わずか
でも角度が変わるとレンズホルダ９５のフォーカシング、トラッキングが正常に動作しに
くくなる。
【００１２】
また、支持部材９２１に取り付けられた基板９２３の貫通孔９２７はワイヤーばね９２
２を曲げたり、ワイヤーばね９２２に無理な力が加わえられたりすることなく通すことが
できるように製造するとともに、支持部材９２１に取り付けなくてはならない。この場合
、基板９２３の製造及び支持部材９２１への取り付けが難しく、非常に時間と手間を必要
とする。
【００１３】
このことは、光ヘッドを構成する各部材の製造、組み立てに高い精度が必要であり、そ
れだけ、前記光ヘッド及び該光ヘッドを備えた前記光ディスク装置の製造に必要な時間及
び手間が多くなり、製造コストが高くなる。
【００１４】
そこで本発明は、簡単な構造を有し、組み立てに多くの時間及び手間をかけることなく
、フォーカシング、トラッキングの精度を高めることができる光ヘッド及び光ヘッドを用
いた光ディスク装置を提供することを目的とする。
【課題を解決するための手段】
【００１５】
上記目的を達成するために本発明は、回転している円盤状の光ディスクにレーザ光を照
射することで、データの記録、読出を行う光ディスク装置であって、
前記光ディスクを回転させるスピンドルモータと、前記光ディスクに対してレーザ光を
照射する光ヘッドと、信号を処理するための信号処理装置と、前記光ヘッドにて検出され
前記信号処理装置にて復号化された信号を外部の映像表示部に接続するための外部接続部
と、制御部とを備えており、前記光ヘッドは前記レーザ光を照射するレーザ光源と、前記
レーザ光を反射するミラーと、前記レーザ光を平行光にするコリメータレンズと、前記レ
ーザ光を前記光ディスクに照射するための対物レンズと、前記光ディスクで反射された光
を分光するビームスプリッタと、光を受光する受光素子とを有しており、前記コリメータ
レンズはベースに支持され、前記対物レンズはレンズホルダに固定され、該レンズホルダ
がアクトベースに支持されており、前記アクトベースは前記ベースに固定されており、前
記アクトベースは前記レンズホルダを支持するための支持部材と、前記支持部材に固定さ
れるとともに前記レンズホルダを弾性支持する直線状に形成された２対のワイヤーばねと
、前記支持部材に取り付けられる基板と、前記レンズホルダ内部に磁界を発生させるため
の永久磁石とを有しており、前記レンズホルダは、該レンズホルダを前記光ディスクのデ
ィスク面に対して垂直方向に動かすためのフォーカシングコイルと、平行する方向に移動
するためのトラッキングコイルと、前記ワイヤーばねの位置決めをする位置決め部材と、
前記フォーカシングコイル及び前記トラッキングコイルと電気的に接続し、前記ワイヤー
ばねがはんだ付けされることで取り付けられるワイヤー取付部とを有しており、前記支持
部材は両側面に接着剤を注入するための溝部を有する接着部と、前記ワイヤーばねと接触
し粘弾性を有するゲル状の制振部材とを有しており、前記基板は前記支持部材の前記レン
ズホルダと対向する面と反対側の面に取り付けられるものであり、前記ワイヤーばねが貫
通する貫通孔と、前記貫通孔の周りに形成され、はんだ付けにて前記ワイヤーばねと電気
的に接続するランドとを有しており、前記ランドより前記ワイヤーばねを介し前記フォー
カシングコイル及びトラッキングコイルにそれぞれ独立して電力を供給し、前記ワイヤー
ばねが前記溝部に挿入され、該溝部の所定の位置に前記接着剤を注入することで前記接着
部に接着固定されることを特徴とする。
【００１６】
この構成によると、前記ワイヤーばねを前記支持部材の接着部の溝部に誘導し、該ワイ
ヤーばねを前記溝部に配置した状態で接着剤を注入して接着固定するので、該ワイヤーば
ねを前記支持部材に角度及び長さの精度高く配置することが可能である。このことは、複
数本備えられる前記ワイヤーばねの長さ及び配置角度を互いに等しくすることができ、そ
れだけ、レンズホルダの動作の精度を高めることができる。
【００１７】
また、特殊な部材や技術を使うことなく、前記ワイヤーばねを前記接着部に接着固定す
ることができるので、製造、組み立てに多くの時間、手間を必要とせず、それだけ、低コ
スト化を図ることができる。
【００１８】
前記レンズホルダのフォーカシング及びトラッキングの動作を高精度化することができ
るので、光ヘッドでの光ディスクの情報の読出し、光ディスクへの情報の書き込みが良好
に行われる光ディスク装置を提供することができる。
【００１９】
上記目的を達成するために本発明は、回転している円盤状の光ディスクにレーザ光を照
射することで、データの記録、読出を行う光ディスク装置であって、前記光ディスクに対
してレーザ光を照射する光ヘッドを備えており、前記光ヘッドは前記レーザ光を照射する
レーザ光源と、前記レーザ光を反射するミラーと、前記レーザ光を平行光にするコリメー
タレンズと、前記レーザ光を前記光ディスクに照射するための対物レンズと、前記光ディ
スクで反射した光を分光するビームスプリッタと、光を受光する受光素子とを有しており
、前記コリメータレンズはベースに支持され、前記対物レンズはレンズホルダに固定され
、該レンズホルダがアクトベースに支持されており、前記アクトベースは前記ベースに固
定されており、前記アクトベースは前記レンズホルダを支持するための支持部材と、前記
支持部材に固定されるとともに前記レンズホルダを弾性支持する直線状に形成された１又
は複数対のワイヤーばねと、前記支持部材に取り付けられる基板と、前記レンズホルダ内
部に磁界を発生させるための永久磁石とを有しており、前記レンズホルダは、該レンズホ
ルダを移動するための１又は複数のコイルと、前記ワイヤーばねの位置決めをする位置決
め部材と、前記コイルと電気的に接続し、前記ワイヤーばねがはんだ付けされることで取
り付けられるワイヤー取付部とを有しており、前記支持部材は両側面に接着剤を注入する
ための接着剤注入部を備えた接着部と、前記ワイヤーばねの振動を抑制する粘弾性を有す
るゲル状の制振部材とを有しており、前記基板は前記支持部材の前記レンズホルダと対向
する面と反対側の面に取り付けられ、電力を供給するためのランドを有し、前記ランドよ
り前記ワイヤーばねを介し前記コイルにそれぞれ独立して電力を供給し、前記ワイヤーば
ねは前記接着剤注入部に近接して配置され該接着剤注入部に接着剤を注入することで前記
接着部と接着固定されることを特徴とする。
【００２０】
この構成によると、前記ワイヤーばねを前記支持部材の接着部の接着剤注入部の近傍に
配置し、該接着剤注入部に接着剤を注入して接着固定するので、該ワイヤーばねを前記支
持部材に角度及び長さの精度高く配置することが可能である。このことは、複数本備えら
れる前記ワイヤーばねの長さ及び配置角度を互いに等しくすることができ、それだけ、レ
ンズホルダの動作の精度を高めることができる。
【００２１】
また、特殊な部材や技術を使うことなく、前記ワイヤーばねを前記接着部に接着固定す
ることができるので、製造、組み立てに多くの時間、手間を必要とせず、それだけ、低コ
スト化を図ることができる。
【００２２】
上記構成において、前記接着剤注入部が楕円形状を有する凹部であるものを挙げること
ができる。この構成によると、接着剤を前記接着部に注入し、垂れないようにとどめるこ
とができるので、接着固定が容易になる。このことにより容易且つ短時間に組み立てるこ
とができるようになる。また、楕円形状の凹部に限定されるものではなく、前記接着剤が
安定して配置される形状の凹部を広く採用することができる。
【００２３】
上記光ディスク装置として、それに限定されるものではないが、ＤＶＤ記録／再生装置
、ＣＤ再生装置、ＣＤ−Ｒ記録／再生装置、ＣＤ−ＲＷ記録／再生装置、ＭＤ記録／再生
装置、ＬＤ再生装置等、光ディスクを用い、該光ディスクより情報を読み出す及び（又は
）該光ディスクに情報を記録する装置を広く挙げることができる。
【００２４】
上記目的を達成するために本発明は、レーザ光を照射するレーザ光源と、ベースに支持
されレーザ光を平行光にするコリメータレンズと、レンズホルダに固定され前記レーザ光
を前記光ディスクに照射するための対物レンズとを有しており、前記レンズホルダはアク
トベースに支持されており、前記アクトベースは前記ベースに固定されており、前記アク
トベースは前記レンズホルダを支持するための支持部材と、前記支持部材に固定されると
ともに前記レンズホルダを弾性支持する直線状に形成された２対のワイヤーばねと、前記
支持部材に取り付けられる基板と、前記レンズホルダ内部に磁界を発生させるための永久
磁石とを有しており、前記レンズホルダは、該レンズホルダを前記光ディスクのディスク
面に対して垂直方向に動かすためのフォーカシングコイルと、平行する方向に移動するた
めのトラッキングコイルと、前記フォーカシングコイル及び前記トラッキングコイルと電
気的に接続し、前記ワイヤーばねがはんだ付けされることで取り付けられるワイヤー取付
部とを有しており、前記支持部材は両側面に接着剤を注入するための溝部を有する接着部
と、前記ワイヤーばねと接触し粘弾性を有するゲル状の制振部材とを有し、前記基板は前
記支持部材の前記レンズホルダと対向する面と反対側の面に取り付けられるものであり前
記ワイヤーばねが貫通する貫通孔と、前記貫通孔の周りに形成され、はんだ付けにて前記
ワイヤーばねと電気的に接続するランドとを有しており、前記ランドより前記ワイヤーば
ねを介し前記フォーカシングコイル及びトラッキングコイルにそれぞれ独立して電力を供
給し、前記ワイヤーばねは前記溝部に挿入され、該溝部の所定の位置に前記接着剤を注入
することで前記接着部に接着固定されることを特徴とする光ヘッドを提供する。
【００２５】
この構成によると、前記ワイヤーばねを前記支持部材の接着部の溝部に誘導し、該ワイ
ヤーばねを前記溝部に配置した状態で接着剤を注入して接着固定するので、該ワイヤーば
ねを前記支持部材に角度及び長さの精度高く配置することが可能である。このことは、複
数本備えられる前記ワイヤーばねの長さ及び配置角度を互いに等しくすることができ、そ
れだけ、レンズホルダの動作の精度を高めることができる。
【００２６】
また、特殊な部材や技術を使うことなく、前記ワイヤーばねを前記接着部に接着固定す
ることができるので、製造、組み立てに多くの時間、手間を必要とせず、それだけ、低コ
スト化を図ることができる。
【００２７】
上記目的を達成するために本発明は、レーザ光を照射するレーザ光源と、ベースに支持
されレーザ光を平行光にするコリメータレンズと、レンズホルダに固定され前記レーザ光
を前記光ディスクに照射するための対物レンズとを有しており、前記レンズホルダはアク
トベースに支持されており、前記アクトベースは前記ベースに固定されており、前記アク
トベースは前記レンズホルダを支持するための支持部材と、前記支持部材に固定されると
ともに前記レンズホルダを弾性支持する直線状に形成された１又は複数対のワイヤーばね
と、前記支持部材に取り付けられる基板と、前記レンズホルダ内部に磁界を発生させるた
めの永久磁石とを有しており、前記レンズホルダは、該レンズホルダを移動するための１
又は複数のコイルと、前記ワイヤーばねの位置決めをする位置決め部材と、前記コイルと
電気的に接続し、前記ワイヤーばねがはんだ付けされることで取り付けられるワイヤー取
付部とを有しており、前記支持部材は両側面に接着剤を注入するための接着剤注入部を備
えた接着部と、前記ワイヤーばねの振動を抑制する粘弾性を有するゲル状の制振部材とを
有しており、前記基板は前記支持部材の前記レンズホルダと対向する面と反対側の面に取
り付けられ、電力を供給するためのランドを有し、前記ランドより前記ワイヤーばねを介
し前記コイルにそれぞれ独立して電力を供給し、前記ワイヤーばねは前記接着剤注入部に
近接して配置され該接着剤注入部に接着剤を注入することで前記接着部と接着固定される
ことを特徴とする光ヘッドを提供する。
【００２８】
この構成によると、前記ワイヤーばねを前記支持部材の接着部の接着剤注入部の近傍に
配置し、該接着剤注入部に接着剤を注入して接着固定するので、該ワイヤーばねを前記支
持部材に角度及び長さの精度高く配置することが可能である。このことは、複数本備えら
れる前記ワイヤーばねの長さ及び配置角度を互いに等しくすることができ、それだけ、レ
ンズホルダの動作の精度を高めることができる。
【００２９】
また、特殊な部材や技術を使うことなく、前記ワイヤーばねを前記接着部に接着固定す
ることができるので、製造、組み立てに多くの時間、手間を必要とせず、それだけ、低コ
スト化を図ることができる。
【００３０】
上記構成において、前記接着剤注入部は楕円形状を有する凹部であるものを挙げること
ができる。この構成によると、接着剤を前記接着部に注入し、垂れないようにとどめるこ
とができるので、接着固定が容易になる。このことにより容易且つ短時間に組み立てるこ
とができるようになる。また、楕円形状の凹部に限定されるものではなく、前記接着剤が
安定して配置される形状の凹部を広く採用することができる。
【発明の効果】
【００３１】
本発明によると、簡単な構造を有し、組み立てに多くの時間及び手間をかけることなく
、フォーカシング、トラッキングの精度を高めることができる光ヘッド及びこの光ヘッド
を用いた光ディスク装置を提供することができる。
【発明を実施するための最良の形態】
【００３２】
以下に本発明の実施形態を図面を参照して説明する。図１に本発明にかかる光ディスク
装置の配置図を示す。図１に示す光ディスク装置は、それには限定されないがここではＤ
ＶＤプレーヤである。図１に示すＤＶＤプレーヤＰＬは、ＤＶＤメディアＤｓを回転させ
るスピンドルモータＳｐと、ＤＶＤメディアＤｓに光を照射し情報を読出す光ヘッドＡと
、光ヘッドＡで検出された信号を復号化するデコーダＤｃと、外部の表示装置であるモニ
タＭｎに接続するための外部接続部Ｏｃと、制御部Ｃｏｎｔとを備えている。
【００３３】
ＤＶＤプレーヤＰＬは制御部Ｃｏｎｔによって制御されており、使用者よりＤＶＤを再
生する命令がなされると、まず、スピンドルモータＳｐを駆動しＤＶＤメディアＤｓを回
転させる。光ヘッドＡより回動しているＤＶＤメディアＤｓにレーザ光を照射し、その反
射光を光ヘッドＡで検出する。光ヘッドＡに備えられた後述の受光素子Ｐｄは検出した光
を電気信号に変換するものであり、電気信号はデコーダＤｃに送られ映像用の信号に復調
され、外部接続部Ｏｃを介してモニタＭｎに送られ、モニタＭｎに映像を表示する。
【００３４】
図２に光ヘッドの一例の配置図を示す。図２に示す光ヘッドＡは、従来と実質上同一の
構造を有している。すなわち、レーザ光源Ｌｄと、ミラーＭｒと、コリメータレンズ３と
、対物レンズ４と、ビームスプリッタＢｓと、受光素子Ｐｄとを有している。レーザ光源
Ｌｄより照射されたレーザ光はミラーＭｒで反射され、コリメータレンズ３に入射し、平
行光に変化してコリメータレンズ３より出射する。コリメータレンズ３より出射したレー
ザ光は対物レンズ４に入射し対物レンズ４よりＤＶＤメディアＤｓに照射される。
【００３５】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。上述の各部材の配置はこれ
に限定されるものではなく、可能な範囲でレーザ光照射順序が入れ替わっているものであ
っても良い。
【００３６】
図３に本発明に係る光ヘッドの平面図を、図４に図３に示す光ヘッドの側面図を示す。
図３に示すように光ヘッドＡはコリメータレンズ３を支持するためのベース１と、対物レ
ンズ４を保持するレンズホルダ５と、ベース１に取り付けられ、対物レンズ４を保持する
レンズホルダ５を弾性支持するためのアクトベース２とを有している。アクトベース２に
は貫通孔２０が形成されており、コリメータレンズ３を出射したレーザ光が貫通孔２０を
通過して対物レンズ４に入射する。
【００３７】
アクトベース２は支持部材２１と、支持部材２１に固定される直線状に形成されたワイ
ヤーばね２２と、支持部材２１に取り付けられる基板２３と、レンズホルダ５が配置され
る空間に磁界を発生させるための一対の永久磁石２４（それに限定されるものではなく、
複数対の永久磁石であってもよく、１個の永久磁石であってもよい）とを有している。支
持部材２１は側面２１１に凸状のワイヤーばね２２を接着する接着部２１２と、接着部２
１２に隣接しワイヤーばね２２の振動を抑制するゲル状の制振部材２１３と、基板２３を
取り付けるための凹部２１４とを有している。
【００３８】
ワイヤーばね２２はレンズホルダ５を弾性支持するだけでなく、基板２３から後述のワ
イヤー取付部５３に電力を供給するための電気配線としても用いられる。ワイヤーばね２
２は制振部材２１３に覆われ、支持部材２１の接着部２１２に備えられた溝部２１５の接
着点２１２１に接着剤２２１で接着固定される。そして、接着部２１２のさらに先端で基
板２３とはんだ付けにて接続している。
【００３９】
基板２３は、図３、４に示すように、支持部材２１に接着固定される本体部２３１と、
図示を省略した電力を供給するための配線が接続する配線接続部２３２と、ワイヤーばね
２２が貫通するワイヤー貫通孔２３３とを有している。基板２３はここでは接着剤にて支
持部材２１に接着されているが、ボルトを用いて支持部２１に固定するものであっても良
い。
【００４０】
基板２３には表面にプリント配線が形成されている。ワイヤー貫通孔２３３の周囲には
第１ランド２３４及び第２ランド２３５が形成されており、第１ランド２３４、第２ラン
ド２３５にはそれぞれ配線接続部２３２より異なるプリント配線が接続している。第１ラ
ンド２３４及び第２ランド２３５はそれぞれ対で形成されており、一方には電力が供給さ
れ、他方は接地されている。
【００４１】
ワイヤーばね２２はワイヤー貫通孔２３３を貫通する。ワイヤーばね２２は第１ランド
２３４及び第２ランド２３５にはんだ付けされることで電気的に接続される。ここで、第
１ランド２３４、第２ランド２３５にはそれぞれ異なるワイヤーばね２２がはんだ付けさ
れている。また、接地されている方の第１ランド２３４、第２ランド２３５は１つの部材
で形成されていてもよい。
【００４２】
レンズホルダ５は中央に対物レンズ４を取り付けるための貫通孔５１と、側面５０１に
はワイヤーばね２２の位置決めを行う位置決め部５２と、位置決めされたワイヤーばね２
２をはんだ付けするためのワイヤー取付部５３とを有している。また、レンズホルダ５内
部にはレンズホルダ５をフォーカス方向、すなわち、図４中矢線ａｒ１で示す方向に動か
すためのフォーカシングコイル５４と、レンズホルダ５をトラッキング方向、すなわち、
図３中矢線ａｒ２で示す方向に動かすためのトラッキングコイル５５とを有している。
【００４３】
位置決め部５２はワイヤーばね２２が貫通し位置決めを行うための貫通孔５２１が形成
されている。ワイヤー取付部５３は金属で形成されており、第１取付部５３１と第２取付
部５３２に電気的に分割されている。ワイヤーばね２２は位置決め部５２の貫通孔５２１
を貫通し、ワイヤー取付部５３にはんだ付けにて固定される。第１取付部５３１はフォー
カシングコイル５４と、第２取付部５３２はトラッキングコイル５５と電気的に接続して
いる。
【００４４】
基板２３の配線接続部２３２から第１ランド２３４に電力を供給することで、第１取付
部５３１にワイヤーばね２２を介して電力を供給し、第１取付部５３１に取り付けられた
フォーカシングコイル５４に電流を流すことができる。配線接続部２３２から第２ランド
２３５に電力を供給することで、ワイヤーばね２２を介して第２取付部５３２に電力を供
給し、第２取付部５３２に取り付けられたトラッキングコイル５５に電流を流すことがで
きる。
【００４５】
フォーカシングコイル５４及びトラッキングコイル５５は一対の永久磁石２４によって
発生する磁界の内部に配置される。この磁界内に配置されたコイルに電流が流れることで
、フォーカシングコイル５４、トラッキングコイル５５にローレンツ力が付与する。この
ローレンツ力によってレンズホルダ５をフォーカス方向及び（又は）トラッキング方向に
移動させることができる。ワイヤーばね２２は制振部材２１３を貫通しているので、レン
ズホルダ５に付与している力が除かれても、レンズホルダ５の振動を短時間で集束するこ
とができる。
【００４６】
トラッキング、フォーカシング時のレンズホルダ５の移動量はワイヤーばね２２の長さ
によって変化する。ここでワイヤーばね２２の長さとは、ワイヤーばね２２の端から端ま
での長さではなく、支持部材２１の接着部２１２の接着点２１２１から、レンズホルダ５
の位置決め部材５２までの長さＬである。
【００４７】
図５に本発明にかかる光ヘッドを構成するアクトベースの製造時の平面図を、図６に図
４に示すアクトベースの製造時の側面図を示す。図５、６に示すようにアクトベース２と
、支持部材２１と、基板２３と、永久磁石２４とを組み立てる。永久磁石２４の間の空間
にレンズホルダ５を配置した状態で、組み立て冶具６を取り付ける。これにより、アクト
ベース２とレンズホルダ５との位置を組み立て後の位置になるように組み立て冶具６で仮
組みすることができる。このように仮組みすることで、全てのワイヤーばね２２において
、レンズホルダ５の位置決め部５２から支持部材２１の接着部２１２の接着点２１２１ま
での長さＬと予め設定された長さとの誤差を減らすことが可能である。ワイヤーばね２２
の長さＬは、それには限定されないが、ここでは、全てのワイヤーばね２２で等しくなる
ものを例に説明している。
【００４８】
組み立て冶具６には予めワイヤーばね２２を取り付けるための取り付け孔６１が形成さ
れており、取り付け孔６１よりワイヤーばね２２を取り付け位置に配置する。このとき、
ワイヤーばね２２はレンズホルダ５の位置決め部材５２の貫通孔５２１を貫通している。
また、ワイヤーばね２２は制振部材２１３に覆われている。そして、ワイヤーばね２２は
一部が接着部２１２の溝部２１５内部に配置された状態で接着点２１２１に接着剤２２１
を注入し、強固に接着固定する。
【００４９】
ワイヤーばね２２を、ワイヤー貫通孔２３３を貫通するように配置する。そして、基板
２３の第１ランド２３４及び第２ランド２３５とワイヤーばね２２とをはんだ付けにて接
続固定する。また、レンズホルダ５の第１取付部５３１及び第２取付部５３２とワイヤー
ばね２２とをはんだ付けにて接続固定する。レンズホルダ５がワイヤーばね２２にて確実
に弾性支持されていることを確認した後、組み立て冶具６を取り外し、アクトベース２の
組み立てを完了する。
【００５０】
図７（Ａ）、（Ｂ）に本発明にかかる光ヘッドの接着部の拡大斜視図を示す。図７（Ａ
）に示すように接着部２１２には、ワイヤーばね２２を接着するときに接着剤２２１を配
置しておくための溝部２１５が形成されている。溝部２１５にワイヤーばね２２の一部が
挿入された状態で配置し、接着剤２２１を接着点２１２１に注入することでワイヤーばね
２２を接着部２１２に接着固定する。ワイヤーばね２２は接着時に溝部２１５にて位置決
めされるので、ワイヤーばね２２がずれた状態で接着されるのを防ぐことができる。
【００５１】
また図７（Ｂ）に示すように接着部２１２のワイヤーばね２２を接着する接着点２１２
１に楕円径の凹孔２１６を形成していてもよい。図７（Ａ）に示すような凹溝２１５を形
成する場合、凹溝２１５にてワイヤーばね２２を正確な位置に誘導することができる。ま
た、図７（Ｂ）に示すような、凹孔２１６を形成する場合、凹孔２１６が目印となり、ワ
イヤーばね２２を正確な位置（凹孔２１６）で接着することが可能である。
【００５２】
図７（Ａ）、（Ｂ）に示すような凹溝２１５、凹孔２１６を備え、凹溝２１５の接着点
２１２１、凹孔２１６に接着剤２２１を注入するので、接着剤２２１が流れ落ちたり、た
れたりすることなく接着することができるので、ワイヤーばね２２を精度よく、確実に接
着固定することができる。
【００５３】
図７（Ａ）に示す溝部２１５は円筒形を切断した形状を有しているが、それに限定され
るものではなく、接着剤２２１を確実に保持することができるとともに、ワイヤーばね２
２が振動したときに接触しないような形状のものを広く採用することができる。図７（Ｂ
）に示す凹孔２１６は楕円形状のものを例示しているが、それに限定されるものではなく
、接着剤２２１が流れたり、たれたりすることなく確実に保持することができるものを広
く採用することができる。
【００５４】
上記実施例では光ディスク装置としてＤＶＤプレーヤを例に説明しているが、それに限
定されるものではなく、光ディスクにレーザ光を照射して情報を読み出したり、記録可能
な光ディスクに情報を記録したりする光ディスク装置を挙げることができる。
【００５５】
上記実施例では、基板として貫通孔にワイヤーばねを通してはんだ付けするものを示し
ているが、それに限定されるものではなく、支持部材に強固に固定することができ、接着
部に接着剤で確実に接着されたワイヤーばねと板に備えられたランドとを電気的に接続す
ることができる形状のものを広く採用することができる。
【産業上の利用可能性】
【００５６】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００５７】
【図１】本発明にかかる光ディスク装置の配置図である。
【図２】光ヘッドの一例の配置図である。
【図３】本発明に係る光ヘッドの平面図である。
【図４】図３に示す光ヘッドの側面図である。
【図５】本発明にかかる光ヘッドの組立時の平面図である。
【図６】本発明にかかる光ヘッドの組立時の平面図である。
【図７】図（Ａ）は本発明にかかる光ヘッドに用いられる支持部材の一例の拡大斜視図であり、図（Ｂ）本発明にかかる光ヘッドに用いられる支持部材の他の例の拡大斜視図である。
【図８】従来の光ヘッドの平面図である。
【図９】従来の光ヘッドの側面図である。
【符号の説明】
【００５８】
Ｄｓ  光ディスク
Ｍｒ  ミラー
Ｂｓ  ビームスプリッタ
Ｌｄ  レーザ光源
Ｐｄ  受光部
１  ベース
２  アクトベース
２１  支持部材
２１２  接着部
２１３  制振部材
２１４  凹部
２１５  溝部
２１６  凹孔
２２  ワイヤーばね
２３  基板
２４  永久磁石
３  コリメータレンズ
４  対物レンズ
５  レンズホルダ
５１  貫通孔
５２  位置決め部材
５３  ワイヤー取付部
【図１】
2006134434.tif 000003
【図２】
2006134434.tif 000004
【図３】
2006134434.tif 000005
【図４】
2006134434.tif 000006
【図５】
2006134434.tif 000007
【図６】
2006134434.tif 000008
【図７】
2006134434.tif 000009
【図８】
2006134434.tif 000010
【図９】
2006134434.tif 000011